(57)【特許請求の範囲】
【請求項１】
情報処理装置であって、
外部装置から通信電波を受信して無線通信信号として出力し、同時に、前記通信電波の電磁誘導により電力を受け取る第１のアンテナ手段と、
前記第１のアンテナ手段が受け取った電力により動作し、読み出し指示に応答して、記憶しているデータを出力する不揮発性記憶手段と、
前記第１のアンテナ手段と前記不揮発性記憶手段とを、前記情報処理装置の外部と内部とを仕切るかつ前記通信電波を透過させる壁面の内側に保持し、前記第１のアンテナ手段を保持する位置は、前記第１のアンテナ手段と前記外部に存在する前記外部装置とが通信可能な位置である、保持手段と、
前記第１のアンテナ手段が受け取った電力により動作し、前記無線通信信号に含まれるデータ要求に基づいて、前記読み出し指示を出力して前記不揮発性記憶手段から前記データを読み出し、前記第１のアンテナ手段を介して、前記読み出したデータを前記外部装置に送信する近距離無線通信制御手段と、
前記不揮発性記憶手段及び前記近距離無線通信制御手段に電力を供給する電力供給手段と、
前記近距離無線通信制御手段にデータを送信する内部情報出力手段と、を含み、
前記近距離無線通信制御手段は、前記電力供給手段から電力の供給を受けて動作し、前記内部情報出力手段から前記データを受信し、前記不揮発性記憶手段に前記受信したデータを出力し、
前記不揮発性記憶手段は、前記電力供給手段から電力の供給を受けて動作し、前記近距離無線通信制御手段から受け取った前記データを記憶する
情報処理装置。
【請求項２】
前記電力供給手段は、第２のアンテナ手段を介して、電磁誘導により前記第１のアンテナ手段に電力を供給し、
前記内部情報出力手段は、前記近距離無線通信制御手段に送信するデータに基づいて変調した電波を、前記第２のアンテナ手段から前記第１のアンテナ手段に送信し、
前記近距離無線通信制御手段は、前記第１のアンテナ手段を介して前記電力供給手段から電力の供給を受けて動作し、前記第１のアンテナ手段を介して前記内部情報出力手段からデータを受信し、前記不揮発性記憶手段に前記受信したデータを出力し、
前記不揮発性記憶手段は、前記第１のアンテナ手段を介して前記電力供給手段から電力の供給を受けて動作し、前記近距離無線通信制御手段から受け取った前記データを記憶する
ことを特徴とする請求項１記載の情報処置装置。
【請求項３】
前記近距離無線通信制御手段と、前記電力供給手段及び前記内部情報出力手段とを接続するケーブルを含み、
前記電力供給手段は、前記ケーブルを介して前記近距離無線通信制御手段に電力を供給し、
前記内部情報出力手段は、前記ケーブルを介して前記近距離無線通信制御手段にデータを送信し、
前記近距離無線通信制御手段は、前記ケーブルを介して前記電力供給手段から電力の供給を受けて動作し、前記ケーブルを介して前記内部情報出力手段からデータを受信し、前記不揮発性記憶手段に前記受信したデータの書き込みを指示して出力し、
前記不揮発性記憶手段は、前記ケーブルを介して前記電力供給手段から電力の供給を受けて動作し、前記近距離無線通信制御手段から受け取った書き込み指示に応答して、受け取った前記データを記憶する
ことを特徴とする請求項１記載の情報処置装置。
【請求項４】
前記第１のアンテナ手段と前記不揮発性記憶手段と前記近距離無線通信制御手段とは、カード形状に一体化されたパッシブ近距離無線通信手段であり、
前記保持手段は、前記パッシブ近距離無線通信手段を取り外し可能に、前記壁面の内側の、前記壁面を挟んで前記外部装置との通信が可能な距離を保つ位置に保持する、
ことを特徴とする請求項１乃至３のいずれか１項に記載の情報処理装置。
【請求項５】
第１のアンテナ手段と不揮発性記憶手段と内部情報出力手段とを有する情報処理装置が、
前記第１のアンテナ手段と前記不揮発性記憶手段とを、前記情報処理装置の外部と内部とを仕切るかつ外部装置の通信電波を透過させる壁面の内側に保持し、前記第１のアンテナ手段を保持する位置は、前記第１のアンテナ手段と前記外部に存在する前記外部装置とが通信可能な位置であり、
前記第１のアンテナ手段を介して、前記外部装置から前記通信電波を受信して無線通信信号として出力し、同時に、前記通信電波の電磁誘導により第１の電力を受け取り、
前記受け取った第１の電力により動作して、前記無線通信信号に含まれるデータ要求に基づいて、前記不揮発性記憶手段に読み出し指示を出力し、
前記不揮発性記憶手段が、
前記受け取った第１の電力により動作して、前記読み出し指示に応答して、記憶しているデータを出力し、
前記情報処理装置が、
前記不揮発性記憶手段から前記データを読み出し、
前記受け取った第１の電力により動作して、前記第１のアンテナ手段を介して、前記読み出したデータを前記外部装置に送信し、
前記不揮発性記憶手段は、
前記情報処理装置により供給される第２の電力により動作して、前記内部情報出力手段から出力されるデータを受信し、前記受信したデータを記憶する
情報出力方法。
【発明の詳細な説明】
【技術分野】
【０００１】
本発明は、情報処理装置及び情報出力方法に関し、特に、情報処理装置の内部情報を出力する情報処理装置及び情報出力方法に関する。
【背景技術】
【０００２】
情報処理装置の保守に関し、さまざまな関連技術が知られている。
【０００３】
例えば、特許文献１は、現金自動取引システムの一例を開示する。特許文献１の現金自動取引システムは、遠隔制御端末（保守用の端末）と現金自動取引装置（情報処理装置）との間で無線通信手段により通信を実現し、遠隔制御端末を操作して現金自動取引装置の保守を実施する。
【０００４】
このようにして、特許文献１の現金自動取引システムは、現金自動取引装置の扉を開けることなく保守することを、可能にしている。即ち、現金自動取引装置の内部にアクセスするための扉が破損した場合や、扉の鍵を紛失した場合であっても、ログなどの内部情報を取得することができる。
【先行技術文献】
【特許文献】
【０００５】
【特許文献１】特開平０５−２７４３３６号公報
【発明の概要】
【発明が解決しようとする課題】
【０００６】
しかしながら、上述した特許文献に記載された技術においては、情報処理装置の電源が切断されている場合、その情報処理装置の内部情報を取得することができないという問題点がある。
【０００７】
その理由は、情報処理装置の電源が切断されている場合、その情報処理装置は保守用の端末と通信することができないためである。
【０００８】
本発明の目的は、上述した問題点を解決できる情報処理装置及び情報出力方法を提供することにある。
【課題を解決するための手段】
【０００９】
本発明の情報処理装置は、外部装置から通信電波を受信して無線通信信号として出力し、同時に、前記通信電波の電磁誘導により電力を受け取る第１のアンテナ手段と、
前記第１のアンテナ手段が受け取った電力により動作し、読み出し指示に応答して、記憶しているデータを出力する不揮発性記憶手段と、
前記第１のアンテナ手段が受け取った電力により動作し、前記無線通信信号に含まれるデータ要求に基づいて、前記読み出し指示を出力して前記不揮発性記憶手段から前記データを読み出し、前記第１のアンテナ手段を介して、前記読み出したデータを前記外部装置に送信する近距離無線通信制御手段と、
前記不揮発性記憶手段及び前記近距離無線通信制御手段に電力を供給する電力供給手段と、
前記近距離無線通信制御手段にデータを送信する内部情報出力手段と、を含み、
前記近距離無線通信制御手段は、前記電源供給手段から電力の供給を受けて動作し、前記内部情報出力手段から前記データを受信し、前記不揮発性記憶手段に前記受信したデータを出力し、
前記不揮発性記憶手段は、前記電源供給手段から電力の供給を受けて動作し、前記近距離無線通信制御手段から受け取った前記データを記憶する。
【００１０】
本発明の情報出力方法は、アンテナ手段を有する情報処理装置が、
前記アンテナ手段を介して、外部装置から通信電波を受信して無線通信信号として出力し、同時に、前記通信電波の電磁誘導により第１の電力を受け取り、
前記受け取った第１の電力により動作して、前記無線通信信号に含まれるデータ要求に基づいて、前記読み出し指示を出力し、
前記受け取った第１の電力により動作して、読み出し指示に応答して、記憶しているデータを出力し、
前記受け取った第１の電力により動作して、前記アンテナ手段を介して、前記読み出したデータを前記外部装置に送信し、
前記不揮発性記憶手段及び前記近距離無線通信制御手段に第２の電力を供給し、
データを送信し、
前記第２の電力の供給を受けて動作して、前記データを受信し、前記受信したデータを記憶する。
【発明の効果】
【００１１】
本発明は、情報処理装置の電源が切断されている場合でも、その情報処理装置の内部情報を取得することが可能になるという効果がある。
【図面の簡単な説明】
【００１２】
【図１】図１は、第１の実施形態に係る情報処理装置の構成を示すブロック図である。
【図２】図２は、第２の実施形態に係る情報処理装置の構成を示すブロック図である。
【図３】図３は、第２の実施形態におけるパッシブ近距離無線通信部の構成を示すブロック図である。
【図４】図４は、第２の実施形態における情報処理装置の外観を示す図である。
【図５】図５は、第２の実施形態における情報処理装置の内部構造を示すブロック図である。
【図６】図６は、第２の実施形態における近距離無線通信リーダの構成を示すブロック図である。
【図７】図７は、第２の実施形態における近距離無線通信リーダの外観を示す図である。
【図８】図８は、第２の実施形態の動作を示すシーケンス図である。
【図９】図９は、第２の実施形態の動作を示すシーケンス図である。
【図１０】図１０は、第３の実施形態に係る情報処理装置の構成を示すブロック図である。
【図１１】図１１は、第３の実施形態におけるパッシブ近距離無線通信部の構成を示すブロック図である。
【図１２】図１２は、第３の実施形態における情報処理装置の外観を示す図である。
【発明を実施するための形態】
【００１３】
本発明を実施するための形態について図面を参照して詳細に説明する。尚、各図面及び明細書記載の各実施形態において、同様の機能を備える構成要素には同様の符号が与えられている。
【００１４】
［第１の実施形態］
図１は、本発明の第１の実施形態に係る情報処理装置１００の構成を示すブロック図である。
【００１５】
図１を参照すると、本実施形態に係る情報処理装置１００は、入力部１１０と、処理部１２０と、出力部１３０とを含む。
【００１６】
まず、本実施形態に係る情報処理装置１００の動作の概要を説明する。
【００１７】
次に、第一の実施形態における情報処理装置１００が備える各構成要素について説明する。尚、図１に示す構成要素は、ハードウェア単位の構成要素ではなく、機能単位の構成要素を示している。
【００１８】
図１を参照すると、情報処理装置１００は、パッシブ部アンテナ（第１のアンテナ手段とも呼ばれる）１１２、パッシブ部制御部（近距離無線通信制御手段とも呼ばれる）１１３、パッシブ部メモリ部（不揮発性記憶手段とも呼ばれる）１１４、電源供給部１６１及び内部情報出力部１６２を含む。
【００１９】
＝＝＝パッシブ部アンテナ１１２＝＝＝
パッシブ部アンテナ１１２は、外部装置（例えば、後述する近距離無線通信リーダ）から通信電波（例えば、１３．５６メガヘルツの周波数帯の搬送波を、通信データで変調した電波）を受信し、その通信電波に対応する無電通信信号を出力する。また、パッシブ部アンテナ１１２は、その通信電波の搬送波（例えば、１３．５６メガヘルツの周波数帯の搬送波）の電磁誘導により、電力を発生する。即ち、パッシブ部アンテナ１１２は、その外部装置から電力を受け取る。
【００２０】
＝＝＝パッシブ部制御部１１３＝＝＝
パッシブ部制御部１１３は、パッシブ部アンテナ１１２が発生した電力により動作し、パッシブ部アンテナ１１２から受け取った無線通信信号を復調する。更に、パッシブ部制御部１１３は、復調した無線通信信号の内容に基づいて、読み出し指示を出力してパッシブ部メモリ部１１４からデータを読み出す。続けて、パッシブ部制御部１１３は、その読み出したデータをその無線通信信号への応答として、パッシブ部アンテナ１１２を介してその外部装置に送信する。ここで、データは、例えば、情報処理装置１００を保守する際に必要となる、処理の履歴情報や情報処理装置１００自身の状態情報などの、内部情報である。
【００２１】
また、パッシブ部制御部１１３は、電源供給部１６１から電力の供給を受けて動作し、内部情報出力部１６２から内部情報信号を受信する。続けてパッシブ部制御部１１３は、パッシブ部メモリ部１１４に、内部情報出力部１６２から受信した、内部情報信号に含まれるデータを書き込み指示と共に出力する。
【００２２】
＝＝＝パッシブ部メモリ部１１４＝＝＝
パッシブ部メモリ部１１４は、パッシブ部アンテナ１１２が受けた電力により動作し、パッシブ部制御部１１３から受け取った読み出し指示に応答して、記憶しているデータを出力する。
【００２３】
また、パッシブ部メモリ部１１４は、電源供給部１６１から電力の供給を受けて動作し、パッシブ部制御部１１３から受け取った書き込み指示に従って、受け取ったデータを記憶する。
【００２４】
＝＝＝電源供給部１６１＝＝＝
電源供給部１６１は、パッシブ部制御部１１３及びパッシブ部メモリ部１１４に電力を供給する。
【００２５】
＝＝＝内部情報出力部１６２＝＝＝
内部情報出力部１６２は、パッシブ部制御部１１３に内部情報信号を送信する。
【００２６】
上述した本実施形態における効果は、情報処理装置１００の電源が切断されている場合でも、その情報処理装置１００の内部情報を取得することが可能になる点である。
【００２７】
その理由は、以下のような構成を含むからである。即ち、第１に電源供給部１６１からの電力供給によって、パッシブ部制御部１１３が、内部情報出力部１６２から受け取ったデータを、パッシブ部メモリ部１１４に記録する。第２に、外部装置から電磁誘導を受けてパッシブ部アンテナ１１２が発生した電力によって、パッシブ部制御部１１３が、パッシブ部メモリ部１１４が記憶しているデータを読み出して、外部装置に送信する。
【００２８】
［第２の実施形態］
次に、本発明の第２の実施形態について図面を参照して詳細に説明する。以下、本実施形態の説明が不明確にならない範囲で、前述の説明と重複する内容については説明を省略する。
【００２９】
図２は、本発明の第２の実施形態に係る情報処理装置２００の構成を示すブロック図である。
【００３０】
図２を参照すると、本実施形態における情報処理装置２００は、パッシブ近距離無線通信部２１０、取引処理部２６０、取引部アンテナ２６２及び取引部近距離無線通信部２６３を含む。
【００３１】
情報処理装置２００は、例えばＡＴＭ（Ａｕｔｏｍａｔｉｃ  Ｔｅｌｌｅｒ  Ｍａｃｈｉｎｅ：現金自動預け払い機）である。尚、情報処理装置２００は、自動販売機、その他の任意の機器であってよい。
【００３２】
＝＝＝パッシブ近距離無線通信部２１０＝＝＝
図３は、本実施形態のパッシブ近距離無線通信部２１０の構成を示すブロック図である。
【００３３】
図３を参照すると、パッシブ近距離無線通信部２１０は、パッシブ部アンテナ１１２、パッシブ部制御部１１３及びパッシブ部メモリ部１１４を含む。パッシブ近距離無線通信部２１０は、例えば、パッシブ部アンテナ１１２、パッシブ部制御部１１３及びパッシブ部メモリ部１１４を一体化した、カード形状のものである。
【００３４】
パッシブ近距離無線通信部２１０は、取引部アンテナ２６２を介して、取引部近距離無線通信部２６３と通信を行う。
【００３５】
＝＝＝取引処理部２６０＝＝＝
取引処理部２６０は、情報処理装置２００において、ＡＴＭ機能を実現する。取引処理部２６０の制御部は、取引処理部２６０自身の内部情報を取引部近距離無線通信部２６３へ出力する。尚、取引処理部２６０の上述以外の構成要素は、本発明の主題と直接関係しないため、説明を省略する。
【００３６】
＝＝＝取引部アンテナ２６２＝＝＝
取引部アンテナ２６２は、取引部近距離無線通信部２６３から受け取った無線通信信号を、通信電波として送信する。この通信電波は、パッシブ近距離無線通信部２１０へ無線通信信号を伝播すると同時に、その搬送波が電磁誘導によりパッシブ近距離無線通信部２１０へ電力を供給するものである。
【００３７】
＝＝＝取引部近距離無線通信部２６３＝＝＝
取引部近距離無線通信部２６３は、取引処理部２６０から内部情報を受け取り、受け取った内部情報に基づいて搬送波（例えば、１３．５６メガヘルツの周波数帯の搬送波）を変調して無線通信信号を生成し、取引部アンテナ２６２へ出力する。
【００３８】
以上説明した情報処理装置２００の各構成要素は、例えば、図１に示す構成要素と以下のように対応する。
【００３９】
内部情報を出力する取引処理部２６０と、内部情報を変調して無線通信信号を出力する取引部近距離無線通信部２６３と、無線通信信号を通信電波として送信する取引部アンテナ２６２と、は内部情報出力部１６２に対応する。
【００４０】
内部情報を変調して無線通信信号を出力する取引部近距離無線通信部２６３と、無線通信信号を通信電波として送信する取引部アンテナ２６２と、は電源供給部１６１に対応する。
【００４１】
図４は、情報処理装置２００の外観を示す図である。図４に示すように、情報処理装置２００は、パッシブ近距離無線通信部２１０を支持する、パッシブ近距離無線通信部支持部２０１を有している。
【００４２】
パッシブ近距離無線通信部支持部２０１は、点線で示した壁面の部分の、内側近傍（例えば、壁面内側から５ミリメートルの位置）で、パッシブ近距離無線通信部２１０を支持する。また、点線で示した部分の壁面は、電波を透過させる。パッシブ近距離無線通信部支持部２０１は、例えば、点線で示した壁面の部分の、内側に固定された、カード形状のパッシブ近距離無線通信部２１０を挿入可能なケースである。
【００４３】
図５は、情報処理装置２００の内部構造を示すブロック図である。図５を参照すると、取引部アンテナ２６２と取引部近距離無線通信部２６３とは、ケーブル２６５で接続されている。また、取引部近距離無線通信部２６３と取引処理部２６０とは、ケーブル２６６で接続されている。また、パッシブ近距離無線通信部支持部２０１は、パッシブ近距離無線通信部２１０を支持している。
【００４４】
図６は、近距離無線通信リーダ１８０の構成を示すブロック図であるである。図６に示すように近距離無線通信リーダ１８０は、リーダ制御部１８２、リーダメモリ部１８３、リーダアンテナ１８４、リーダ主画面１８５、リーダ操作部１８６及びリーダ電源１８９を含む。
【００４５】
図７は、近距離無線通信リーダ１８０の外観を示す図である。図７に示すリーダ近距離無線通信部１８１は、図６に示すリーダ制御部１８２及びリーダアンテナ１８４に対応する。
【００４６】
操作者は、近距離無線通信リーダ１８０を用いて、情報処理装置２００のパッシブ近距離無線通信部２１０のパッシブ部メモリ部１１４に格納されているデータ（情報処理装置２００の内部情報）を取得する。
【００４７】
＝＝＝リーダ制御部１８２＝＝＝
情報処理装置２００のパッシブ近距離無線通信部２１０からリーダアンテナ１８４を介して受信した無線通信信号を復調し、復調した無線通信信号に含まれるデータ（情報処理装置２００の内部情報）をリーダメモリ部１８３に出力する。また、リーダ制御部１８２は、リーダ操作部１８６から操作内容を受け取り、リーダ主画面１８５へ情報の表示を指示する。
【００４８】
＝＝＝リーダメモリ部１８３＝＝＝
リーダメモリ部１８３は、リーダ制御部１８２から受け取ったデータを記憶する。
【００４９】
＝＝＝リーダアンテナ１８４＝＝＝
リーダアンテナ１８４は、通信電波を出力し、その通信電波によりパッシブ近距離無線通信部２１０へ無線通信信号を伝播させると同時に、その通信電波の搬送波によりパッシブ近距離無線通信部２１０へ電力を供給する。
【００５０】
＝＝＝リーダ主画面１８５＝＝＝
近距離無線通信リーダ１８０の指示に基づいて、情報を表示する。
【００５１】
＝＝＝リーダ操作部１８６＝＝＝
近距離無線通信リーダ１８０は、操作者の操作を受け付け、出力する。
【００５２】
＝＝＝リーダ電源１８９＝＝＝
リーダ電源１８９は、近距離無線通信リーダ１８０の各部へ電源を供給する。
【００５３】
次に、本実施形態の動作について、図１〜図９を参照して詳細に説明する。
【００５４】
図８は、パッシブ部メモリ部１１４に内部情報５２１（情報処理装置２００の内部情報５２０）を記録する動作を示すシーケンス図である。
【００５５】
図８に示す動作は、情報処理装置２００に電源が供給されている場合の動作である。
【００５６】
取引処理部２６０の制御部は、取引部近距離無線通信部２６３に内部情報５２０を出力する（Ｓ６０１）。
【００５７】
取引部近距離無線通信部２６３は、受け取った内部情報５２０に基づいて搬送波を変調し、無線通信信号５３０を生成し、生成した無線通信信号５３０を取引部アンテナ２６２に出力する（Ｓ６０２）。
【００５８】
取引部アンテナ２６２は、受け取った無線通信信号５３０を通信電波５４０として出力（送信）する（Ｓ６０３）。
【００５９】
パッシブ近距離無線通信部２１０のパッシブ部アンテナ１１２は、取引部アンテナ２６２が出力した通信電波５４０を受信し、無線通信信号５３１として出力する。同時にパッシブ近距離無線通信部２１０は、受信した通信電波５４０により電力の供給を受ける（Ｓ６０４）。
【００６０】
パッシブ部制御部１１３は、パッシブ部アンテナ１１２を介して供給された電力により動作し、その無線通信信号５３１を受け取って復調し、その無線通信信号５３１に含まれる内部情報５２１をパッシブ部メモリ部１１４に出力する（Ｓ６０５）。
【００６１】
パッシブ部メモリ部１１４は、パッシブ部アンテナ１１２を介して供給された電力により動作し、受け取った内部情報５２１を記憶する。
【００６２】
以上が、パッシブ部メモリ部１１４に内部情報５２１を記録する動作の説明である。
【００６３】
図９は、近距離無線通信リーダ１８０が、パッシブ部メモリ部１１４からデータを取得する場合の動作について説明する。
【００６４】
情報処理装置２００は、電源が切断されている場合において、図９に示す動作を実行する。尚、情報処理装置２００は、電源が供給されている場合においても、図９に示す動作を実行してよい。
【００６５】
図９に示す動作は、操作者が近距離無線通信リーダ１８０のリーダ近距離無線通信部１８１を情報処理装置２００のパッシブ近距離無線通信部２１０へ近接させ、リーダ操作部１８６からデータ取得指示の操作を行ったことを契機に、開始する。
【００６６】
近距離無線通信リーダ１８０のリーダ制御部１８２は、データ取得要求で搬送波を変調してデータ取得要求を含む無線通信信号５３４を生成し、リーダアンテナ１８４に出力する（Ｓ６１１）。
【００６７】
リーダアンテナ１８４は、受け取った無線通信信号５３４を通信電波５４４として出力（送信）する（Ｓ６１２）。
【００６８】
パッシブ近距離無線通信部２１０のパッシブ部アンテナ１１２は、リーダアンテナ１８４が出力した通信電波５４４を受信し、受信した無線通信信号５３５として出力する。同時にパッシブ近距離無線通信部２１０は、受信した通信電波５４４により電力の供給を受ける（Ｓ６１３）。
【００６９】
パッシブ部制御部１１３は、パッシブ部アンテナ１１２を介して供給された電力により動作し、その無線通信信号５３５を受信して復調し、その無線通信信号５３５に含まれるデータ取得要求を検出する。続けて、パッシブ部制御部１１３は、検出したデータ取得要求に基づいて、パッシブ部メモリ部１１４から内部情報５２５を読み出す（Ｓ６１４）。
【００７０】
次に、パッシブ部制御部１１３は、読み出した内部情報５２５で搬送波を変調して内部情報５２５を含む無線通信信号５３６を生成し、パッシブ部アンテナ１１２へ出力する（Ｓ６１５）。
【００７１】
次に、パッシブ部アンテナ１１２は、受け取った無線通信信号５３６を通信電波５４６として出力（送信）する（Ｓ６１６）。
【００７２】
次に近距離無線通信リーダ１８０のリーダアンテナ１８４は、パッシブ部アンテナ１１２が出力した通信電波５４６を受信し、リーダ制御部１８２へ無線通信信号５３７として出力する（Ｓ６１７）。
【００７３】
次に、リーダ制御部１８２は、受け取った無線通信信号５３７を復調し、その復調した無線通信信号に含まれる内部情報５２７を取得し、パッシブ部メモリ部１１４に出力する（Ｓ６１８）。
【００７４】
パッシブ部メモリ部１１４は、パッシブ部アンテナ１１２を介して供給された電力により動作し、受け取った内部情報５２７を記憶する。
【００７５】
以上が、パッシブ部メモリ部１１４にデータを記録する動作の説明である。
【００７６】
本実施形態において、近距離無線通信リーダ１８０は、以上説明したように、情報処理装置２００の内部情報を取得する。
【００７７】
これは、例えば、災害等により、情報処理装置２００の電源が途絶え、通信手段も途絶えた場合、或いは、情報処理装置２００の内部にアクセスするための扉の破損や、鍵の紛失があった場合においても、情報処理装置２００の履歴情報や装置状態などの内部情報を取得することができることを示している。
尚、一般的にＡＴＭは、停電が発生すると、ＡＴＭ内または外部のＵＰＳ（Ｕｎｉｎｔｅｒｒｕｐｔｉｂｌｅ  Ｐｏｗｅｒ  Ｓｕｐｐｌｙ、無停電電源装置）機能からの電力供給により、動作可能な構成となっている場合が多い。しかし、こういったＵＰＳ機能は、停電が長くても数時間程度で復電することを前提として設計されている。従って、例えば、災害時のように長時間停電が発生すると、ＵＰＳ機能からの給電も途絶え、ＡＴＭに対して電源がまったく供給されなくなる。
【００７８】
このような場合、通常のＡＴＭについては、ＡＴＭ内のデータを取得することが、できない。なぜなら、ＡＴＭがデータを外部に出力するためには、ＡＴＭに電源が供給されている必要があるからである。
【００７９】
上述した本実施形態における第１の効果は、情報処理装置２００の電源が切断されている場合でも、その情報処理装置２００の内部情報を取得することが可能になる点である。
【００８０】
その理由は、以下のような構成を含むからである。即ち、第１に取引部アンテナ２６２から電磁誘導を受けてパッシブ部アンテナ１１２が発生した電力によって、パッシブ部制御部１１３が、取引部近距離無線通信部２６３及び取引部アンテナ２６２を介して取引処理部２６０から受け取ったデータを、パッシブ部メモリ部１１４に記録する。第２に、近距離無線通信リーダ１８０から電磁誘導を受けてパッシブ部アンテナ１１２が発生した電力によって、パッシブ部制御部１１３が、パッシブ部メモリ部１１４が記憶しているデータを読み出して、近距離無線通信リーダ１８０に送信する。
【００８１】
上述した本実施形態における第２の効果は、情報処理装置２００の扉を開けることなく、その情報処理装置２００の内部情報を取得することが可能になる点である。
【００８２】
その理由は、パッシブ部アンテナ１１２を含むパッシブ近距離無線通信部２１０を、情報処理装置２００の電波を通過させる壁面の部分の、内側近傍でパッシブ近距離無線通信部２１０を支持するようにしたからである。
【００８３】
［第３の実施形態］
次に、本発明の第３の実施形態について図面を参照して詳細に説明する。以下、本実施形態の説明が不明確にならない範囲で、前述の説明と重複する内容については説明を省略する。
【００８４】
図１０は、本発明の第３の実施形態に係る情報処理装置３００の構成を示すブロック図である。
【００８５】
図１０を参照すると、本実施形態の情報処理装置３００は、第２の実施形態の情報処理装置２００と比べて、取引部アンテナ２６２及び取引部近距離無線通信部２６３に替えて、取引部インタフェース処理部３６７を備えている。
【００８６】
図１１は、本発明の第３の実施形態に係るパッシブ近距離無線通信部３１０の構成を示すブロック図である。
【００８７】
図１１を参照すると、本実施形態のパッシブ近距離無線通信部３１０は、第２の実施形態のパッシブ近距離無線通信部２１０と比べて、パッシブ部インタフェース３１７を更に含む。
【００８８】
図１２は、情報処理装置３００の内部構造を示すブロック図である。図１２を参照すると、パッシブ近距離無線通信部３１０と取引処理部３６０とは、ケーブル３６８で接続されている。
【００８９】
＝＝＝取引部インタフェース処理部３６７＝＝＝
取引部インタフェース処理部３６７は、ケーブル３６８を介して、パッシブ部インタフェース３１７に電力を出力する。また、取引部インタフェース処理部３６７は、ケーブル３６８を介して、パッシブ部インタフェース３１７に内部情報信号を出力する。ここで、内部情報信号は、図９の無線通信信号５３４に相当し、情報処理装置３００の内部情報を含む。
【００９０】
＝＝＝パッシブ部インタフェース３１７＝＝＝
パッシブ部インタフェース３１７は、取引部インタフェース処理部３６７から電力を受け取り、パッシブ部制御部１１３及びパッシブ部メモリ部１１４に電力を供給する。また、パッシブ部インタフェース３１７は、内部情報信号を受け取り、無線通信信号（図９の無線通信信号５３５に相当）としてパッシブ部制御部１１３へ出力する。
【００９１】
尚、パッシブ部インタフェース３１７は、パッシブ部制御部１１３の一部として含まれてもよい。また、パッシブ部インタフェース３１７は、パッシブ部アンテナ１１２の一部として含まれてもよい。
【００９２】
上述した本実施形態における効果は、第２の実施形態の効果に加えて、近距離無線通信リーダ１８０からの通信電波によるアクセスと、取引処理部３６０からの通信電波によるアクセスと、の衝突の発生を防止できる点である。
【００９３】
その理由は、取引処理部３６０とパッシブ近距離無線通信部３１０とをケーブル３６８で接続し、ケーブル３６８を介して情報処理装置３００の内部情報をパッシブ部メモリ部１１４に格納するようにしたからである。
【００９４】
以上の各実施形態で説明した各構成要素は、必ずしも個々に独立した存在である必要はない。例えば、各構成要素は、複数の構成要素が１個のモジュールとして実現されてよい。また、各構成要素は、１つの構成要素が複数のモジュールで実現されてもよい。また、各構成要素は、ある構成要素が他の構成要素の一部であるような構成であってよい。また、各構成要素は、ある構成要素の一部と他の構成要素の一部とが重複するような構成であってもよい。
【００９５】
以上説明した各実施形態における各構成要素及び各構成要素を実現するモジュールは、必要に応じ、可能であれば、ハードウェア的に実現されてよい。また、各構成要素及び各構成要素を実現するモジュールは、コンピュータ及びプログラムで実現されてよい。また、各構成要素及び各構成要素を実現するモジュールは、ハードウェア的なモジュールとコンピュータ及びプログラムとの混在により実現されてもよい。
【００９６】
そのプログラムは、例えば、磁気ディスクや半導体メモリなど、不揮発性のコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施形態における構成要素として機能させる。
【００９７】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【００９８】
更に、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【００９９】
更に、以上説明した各実施形態では、ある動作が他の動作の契機になるように記載しているが、その記載はある動作と他の動作との全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【０１００】
以上、各実施形態及び実施例を参照して本発明を説明したが、本発明は上記実施形態及び実施例に限定されるものではない。本発明の構成や詳細には、本発明のスコープ内で当業者が理解しえるさまざまな変更をすることができる。
【符号の説明】
【０１０１】
１００    情報処理装置
１１２    パッシブ部アンテナ
１１３    パッシブ部制御部
１１４    パッシブ部メモリ部
１６１    電源供給部
１６２    内部情報出力部
１８０    近距離無線通信リーダ
１８１    リーダ近距離無線通信部
１８２    リーダ制御部
１８３    リーダメモリ部
１８４    リーダアンテナ
１８５    リーダ主画面
１８６    リーダ操作部
１８９    リーダ電源
２００    情報処理装置
２０１    パッシブ近距離無線通信部支持部
２１０    パッシブ近距離無線通信部
２６０    取引処理部
２６２    取引部アンテナ
２６３    取引部近距離無線通信部
２６５    ケーブル
２６６    ケーブル
３００    情報処理装置
３１０    パッシブ近距離無線通信部
３１７    パッシブ部インタフェース
３６０    取引処理部
３６７    取引部インタフェース処理部
３６８    ケーブル
５２０    内部情報
５２１    内部情報
５２５    内部情報
５２７    内部情報
５３０    無線通信信号
５３１    無線通信信号
５３４    無線通信信号
５３５    無線通信信号
５３６    無線通信信号
５３７    無線通信信号
５４０    通信電波
５４４    通信電波
５４６    通信電波
【図１】
0005914050.tif 000002
【図２】
0005914050.tif 000003
【図３】
0005914050.tif 000004
【図４】
0005914050.tif 000005
【図５】
0005914050.tif 000006
【図６】
0005914050.tif 000007
【図７】
0005914050.tif 000008
【図８】
0005914050.tif 000009
【図９】
0005914050.tif 000010
【図１０】
0005914050.tif 000011
【図１１】
0005914050.tif 000012
【図１２】
0005914050.tif 000013